(57)【要約】  【課題】  従来、ナットの締付力のかかりが弱かった水栓本体の前側の締付力のかかり具合を強くなるようにして水栓本体の前側が水栓取付部の上面から浮き上がるのを防止することができる板状水栓取付金具および水栓取付金具を用いた水栓取付構造ならびに板状水栓取付金具を用いた水栓取付方法を提供すること。  【解決手段】  ボルト挿通穴１１を有する板状基部１２と、板状基部１２の両端部２０，２１から一側方へ延設された左右の板状アーム部１３，１３とを有する平面視ほぼ馬蹄形状の板状水栓取付金具１０であって、水栓を水栓取付部に取付けた状態において、ボルト挿通穴１１の周縁下面ｂ’は水栓取付部５の下面Ｌに対し平行であり、かつ、板状アーム部１３の先端側上部３０ｂが水栓取付部５の下面Ｌに当接するよう、ボルト挿通穴１１の周縁下面ｂ’と板状アーム部１３の先端側上部３０ｂとを交差する方向に設けてある。【選択図】    図１
2014136921.tif 000002
【特許請求の範囲】
【請求項１】
ボルト挿通穴を有する板状基部と、
板状基部の両端部から一側方へ延設された左右の板状アーム部と
を有する平面視ほぼ馬蹄形状の板状水栓取付金具であって、
水栓を水栓取付部に取付けた状態において、ボルト挿通穴の周縁下面は水栓取付部の下面に対し平行であり、かつ、板状アーム部の先端側上部が水栓取付部の下面に当接するよう、ボルト挿通穴の周縁下面と板状アーム部の先端側上部とを交差する方向に設けてあることを特徴とする板状水栓取付金具。
【請求項２】
請求項１記載の板状水栓取付金具を用いた水栓取付構造であって、
水室および湯室にそれぞれ連通する水流入孔および湯流入孔が下面に開設されている湯水混合栓本体を備えた湯水混合栓と、
前記水栓取付部に開設された貫通孔と、
湯水混合栓本体から下方へ垂設され前記ボルト挿通穴に挿通されたボルトと、
前記水流入孔および湯流入孔を介して湯水混合栓本体に接続された状態で、前記貫通孔に前記ボルトと共に挿通され、さらに、前記左右の板状アーム部間に挿通された管継手と、
前記ボルトとの締結で前記水栓取付金具によって前記水栓取付部の下面が押圧される状態で湯水混合栓本体を前記水栓取付部の上面へ固定するナットと、
前記管継手を介して湯水混合栓本体にそれぞれ連通する給水ホースおよび給湯ホースとを有する水栓取付構造。
【請求項３】
湯水混合栓本体の下面および前記水栓取付部の上面間に座パッキンが設けられるとともに、前記板状水栓取付金具および前記水栓取付部の下面間に取付パッキンが設けられている請求項２に記載の水栓取付構造。
【請求項４】
請求項１記載の板状水栓取付金具を用いた水栓取付方法であって、
水栓取付部に開設された貫通孔に、湯水混合栓本体から下方へ垂設されたボルトと、湯水混合栓本体の下面に開設されている水流入孔および湯流入孔を介して湯水混合栓本体に接続される管継手とが挿通された状態で、前記ボルトを前記ボルト挿通穴に挿通させるとともに前記管継手を前記左右の板状アーム部間に挿通させ、
前記ボルトとこのボルトに螺着されるナットとの締結で前記板状水栓取付金具によって水栓取付部の下面が押圧される状態で湯水混合栓本体を水栓取付部の上面へ固定するとともに前記管継手を介して給水ホースおよび給湯ホースを湯水混合栓本体にそれぞれ連通させる水栓取付方法。
【発明の詳細な説明】
【技術分野】
【０００１】
本発明は、例えば台所の流し台や洗面台、バスタブ等における水栓取付部にボルトを用いて固定される湯水混合栓等の水栓の浮き上がりを防ぐ板状水栓取付金具および水栓取付構造ならびに水栓取付方法に関するものである。
【背景技術】
【０００２】
例えば台所の流し台の水栓取付部に設けられる所謂ボルト式タイプのワンホール湯水混合栓として、水栓取付部に開設された貫通孔に、湯水混合栓本体から下方へ垂設されたボルトおよび湯水混合栓本体に接続される給水用管継手および給湯用管継手がそれぞれ挿通され、前記ボルトとこのボルトに螺着されるナットとの締結操作で水栓取付金具によって水栓取付部の下面が押圧される状態で湯水混合栓本体が水栓取付部の上面へ固定されるものがある。そして、下記特許文献１には、ワンホール湯水混合栓の中心から偏心した後側位置にボルトを設ける場合に用いられる水栓取付金具として、ボルト挿通穴が形成された馬蹄型水栓取付金具が開示されている。
【先行技術文献】
【特許文献】
【０００３】
【特許文献１】特開平９−８９１３２号公報
【発明の概要】
【発明が解決しようとする課題】
【０００４】
しかしながら、上記特許文献１においては、ワンホール湯水混合栓の中心から偏心した位置に馬蹄型水栓取付金具を組付けるため、ワンホール湯水混合栓に均一にナットの締付力がかからず、締付力のかかりが弱い湯水混合栓本体前側が水栓取付部の上面から浮き上がることがある。すなわち、組付けにあたり、前記馬蹄型水栓取付金具のボルト挿通穴の周縁下面を水栓取付部の下面に対し平行に位置させたとき、馬蹄型水栓取付金具の先端側上面が水栓取付部の下面と平行であることから、湯水混合栓本体後側では、固定するために馬蹄型水栓取付金具をナットで締付けると、取付けられる湯水混合栓本体の前側が水栓取付部上面から浮き上がるという課題がある。
【０００５】
本発明は、上記課題に鑑みてなしたもので、その目的の一つは、従来、ナットの締付力のかかりが弱かった水栓本体の前側の締付力のかかり具合を強くなるようにして水栓本体の前側が水栓取付部の上面から浮き上がるのを防止することができる板状水栓取付金具および水栓取付構造を提供することである。また、本発明の二つ目の目的は、その板状水栓取付金具を用いた水栓取付構造を提供することであり、本発明の三つ目の目的は、その板状水栓取付金具を用いた水栓取付方法を提供することである。
【課題を解決するための手段】
【０００６】
上記目的を達成するために、本発明の板状水栓取付金具は、
ボルト挿通穴を有する板状基部と、
板状基部の両端部から一側方へ延設された左右の板状アーム部と
を有する平面視ほぼ馬蹄形状の板状水栓取付金具であって、
水栓を水栓取付部に取付けた状態において、ボルト挿通穴の周縁下面は水栓取付部の下面に対し平行であり、かつ、板状アーム部の先端側上部が水栓取付部の下面に当接するよう、ボルト挿通穴の周縁下面と板状アーム部の先端側上部とを交差する方向に設けてあることを特徴としている（請求項１）。
【０００７】
また、本発明は、別の観点から、請求項１記載の板状水栓取付金具を用いた水栓取付構造であって、水室および湯室にそれぞれ連通する水流入孔および湯流入孔が下面に開設されている湯水混合栓本体を備えた湯水混合栓と、前記水栓取付部に開設された貫通孔と、湯水混合栓本体から下方へ垂設され前記ボルト挿通穴に挿通されたボルトと、前記水流入孔および湯流入孔を介して湯水混合栓本体に接続された状態で、前記貫通孔に前記ボルトと共に挿通され、さらに、前記左右の板状アーム部間に挿通された管継手と、前記ボルトとの締結で前記水栓取付金具によって前記水栓取付部の下面が押圧される状態で湯水混合栓本体を前記水栓取付部の上面へ固定するナットと、前記管継手を介して湯水混合栓本体にそれぞれ連通する給水ホースおよび給湯ホースとを有する水栓取付構造を提供する（請求項２）。この場合、湯水混合栓本体の下面および前記水栓取付部の上面間に座パッキンが設けられるとともに、前記板状水栓取付金具および前記水栓取付部の下面間に取付パッキンが設けらるのが好ましい（請求項３）。
【０００８】
また、本発明は、さらに別の観点から、請求項１記載の板状水栓取付金具を用いた水栓取付方法であって、水栓取付部に開設された貫通孔に、湯水混合栓本体から下方へ垂設されたボルトと、湯水混合栓本体の下面に開設されている水流入孔および湯流入孔を介して湯水混合栓本体に接続される管継手とが挿通された状態で、前記ボルトを前記ボルト挿通穴に挿通させるとともに前記管継手を前記左右の板状アーム部間に挿通させ、前記ボルトとこのボルトに螺着されるナットとの締結で前記板状水栓取付金具によって水栓取付部の下面が押圧される状態で湯水混合栓本体を水栓取付部の上面へ固定するとともに前記管継手を介して給水ホースおよび給湯ホースを湯水混合栓本体にそれぞれ連通させる水栓取付方法を提供する（請求項４）。
【発明の効果】
【０００９】
本発明では、水栓を水栓取付部に取付けた状態において、板状基部に設けたボルト挿通穴の周縁下面は水栓取付部の下面に対し平行であり、かつ、板状アーム部の先端側上部が水栓取付部の下面に当接するよう、ボルト挿通穴の周縁下面と板状アーム部の先端側上部とを交差する方向に設けている。そのため、従来、ナットの締付力のかかりが弱かった水栓本体の前側の締付力のかかり具合を強くなるようにすることができ、それによって、水栓本体の前側が水栓取付部の上面から浮き上がるのを防止することができる。
【図面の簡単な説明】
【００１０】
【図１】（Ａ）は、本発明に係る平面視ほぼ馬蹄形状の板状水栓取付金具の一実施形態を示す平面図である。（Ｂ）は、上記実施形態を示す右側面図である。（Ｃ）は、図１（Ａ）におけるＩ−Ｉ線断面図である。
【図２】上記実施形態を用いた水栓取付構造を示す断面図である。
【図３】上記実施形態を用いて水栓取付部に固定される水栓を一部を切欠いて示す図である。
【図４】上記水栓の水栓取付部への取付けを示す説明図である。
【図５】（Ａ）は、本発明に係る平面視ほぼ馬蹄形状の板状水栓取付金具の他の実施形態を示す平面図である。（Ｂ）は、上記他の実施形態を示す右側面図である。（Ｃ）は、上記他の実施形態を示す左側面図である。（Ｄ）は、上記他の実施形態を示す正面図である。（Ｅ）は、上記他の実施形態を示す背面図である。（Ｆ）は、上記他の実施形態を示す斜め上方からみた斜視図である。
【発明を実施するための形態】
【００１１】
以下、本発明の実施の形態を図面に基づいて説明する。なお、それによって本発明は限定されるものではない。図１〜図４において、１は、湯水の吐水管２を備えた湯水混合栓本体（例えば、銅合金製）で、湯水の混合比の調節と止水を含む吐水量の調節とを行うレバー３が設けられている。４はボルトで、これは湯水混合栓本体１から下方へ固着垂設されている。ボルト４は、湯水混合栓本体１の下面Ｍの中心から偏心した後側に位置している。５は、例えば台所の流し台の水栓取付部（以下、単に取付部という）で、例えば木製の板状体であり、この取付部５には、ボルト４および湯水混合栓本体１にそれぞれ連結される給水用管継手および給湯用管継手（例えば、銅合金製のニップル）６および７が挿通可能な貫通孔８が開設されている。この管継手６，７は、取付部５に固定された湯水混合栓本体１へ接続してフレキシブル材料からなる給水ホースＡおよびフレキシブル材料からなる給湯ホースＢを組付けるときに、貫通孔８に隠れない程度に長く形成されている。また、９はナットで、ボルト４の外周面へ螺着されて湯水混合栓本体１を取付部５の上面Ｈへ固定するためのものである。
【００１２】
１０は、平面視ほぼ馬蹄形状の板状水栓取付金具（以下、単に馬蹄型取付金具という）で、強度的に強い材料、例えばＳＵＳ材料よりなり、両面がフラットで所定の薄い厚みを有する板状部材を成形加工して形成されており、中心線Ｇ〔図１（Ａ）参照〕に対して左右対称な形状をなす。この馬蹄型取付金具１０は、ボルト４が挿通かつ遊嵌可能な大きさのボルト挿通穴１１を有する板状基部１２と、この板状基部１２の左右両端部（後述する傾斜部２０，２１）から一側方へ延設された左右の板状アーム部１３，１３とより主としてなる。さらに、前記馬蹄型取付金具１０は、板状基部１２および左の板状アーム部１３間に両者１２，１３を繋ぐ傾斜部２０を有するとともに、板状基部１２および右の板状アーム部１３間に両者１２，１３を繋ぐ傾斜部２１を有する。また、左右の板状アーム部１３，１３には、その上部側を開口してなる凹所２３，２３が形成されている。前記凹所２３は、板状アーム部１３の外端Ｐの形状に沿った平面視アーム形状をなす。板状基部１２の上下両面ａ，ｂ〔図１（Ｃ）参照〕、左右の板状アーム部１３，１３の上部３０の上下両面ｄ，ｅ、傾斜部２０の上下両面ｍ，ｎ、傾斜部２１の上下両面ｍ’，ｎ’、凹所２３，２３の上下両面ｆ，ｆ’はいずれもフラット面に形成されている。図１（Ｃ）において、ｄ，ｅは、右の板状アーム部１３の上下両面を示す。また、図１（Ａ）において、両矢印Ｄは左右方向を示す。また、図１（Ａ）において、両矢印Ｄに直角な矢印Ｅで示す方向は、左右の板状アーム部１３，１３の延設方向である。また、矢印Ｅ’で示す方向は、前記延設方向に対し平面視において１８０°反対の方向である。そして、馬蹄型取付金具１０の組付け時には、ボルト挿通穴１１にボルト４が挿通されるとともに左右の板状アーム部１３，１３間に管継手６，７が挿通され、ナット９およびボルト４の締結操作で湯水混合栓本体１を取付部５の上面Ｈへ固定するよう馬蹄型取付金具１０は取付部５の下面Ｌを押圧する。なお、馬蹄型取付金具１０の特徴的構成は後述する。
【００１３】
１４および１５は、それぞれ湯水混合栓本体１の水室および湯室にそれぞれ連通する水流入孔および湯流入孔（図３参照）で、湯水混合栓本体１の下面Ｍに開設されている。この水流入孔１４および湯流入孔１５に管継手が例えば螺着されて給水ホースＡおよび給湯ホースＢが湯水混合栓本体１に接続される。例えば、管継手６および７は、それぞれその後端に螺着されるソケット１８および１９を介して給水ホースＡおよび給湯ホースＢにそれぞれ連結されている。
【００１４】
なお、湯水混合栓本体１には、吐水管２の接続口が連設された湯水の混合室（図示せず）と、この混合室に連通する湯および水の導入路と、この湯および水の導入路にそれぞれ連設された水流入孔１４および湯流入孔１５と、混合室に対する湯および水の導入路の連通部に配設され湯水の混合比および流量を調節する混合弁とが設けられている。また、給水ホースＡの上流は給水部（図示せず）に接続され、給湯ホースＢの上流は給湯部（図示せず）に接続されている。更に、図３において、湯水混合栓本体１には、固定弁体と可動弁体とを内蔵したユニットケース（図示せず）が湯水混合栓本体１の弁室２６内に収容されている。このユニットケースは、弁室２６とは水密的で、かつ、着脱可能に配置される。湯水混合栓本体１は仕切り壁（図示せず）によって上方の弁室２６と下方の湯室、水室及び吐水孔とに区画されていて、この仕切り壁には、湯室に連通する湯流入孔１５と水室に連通する水流入孔１４と混合水流出口とがそれぞれ開設されている。そして、水流入孔１４には水流通孔を備えた水連通用のアタッチメント２７が、湯流入孔１５には湯流通孔を備えた湯連通用のアタッチメントがそれぞれ嵌合されている。
【００１５】
以下、前記馬蹄型取付金具１０の特徴的構成について説明する。
【００１６】
図１において、２２は、ボルト挿通穴１１の内周面から内向きで、適宜間隔を有して形成された爪である。この爪２２は、施工時にボルト４のねじ山にひっかかり、それによってボルト４がスルッと落下するのを防止する機能を有する。
【００１７】
そして、図２に示すように、施工時には、ボルト４に螺着しているナット９の上端面９ａが板状基部１２のフラットな下面ｂにおけるボルト挿通穴１１の周縁下面部分ｂ’に当たる。この実施形態では、馬蹄型取付金具１０を押圧する（締付ける）ナット９が当たる馬蹄型取付金具の箇所に角度をつけている。すなわち、ナット９の当たる板状基部１２のフラットな下面ｂ（下面ｂにおけるボルト挿通穴１１の周縁下面部分ｂ’）は水栓取付部下面Ｌに対し平行であり、かつ、板状アーム部１３（図２では右の板状アーム部１３）の上部３０のうち、後端側上部３０ａではなく先端側上部３０ｂが水栓取付部下面Ｌに当接するよう、ボルト挿通穴１１の周縁下面部分ｂ’と板状アーム部１３の上部３０の先端側上部３０ｂとを交差する方向に設けてある。そして、この実施形態では、図１（Ｃ）に示すように、ナット９の当たる板状基部１２の下面ｂ’と、水栓取付部下面Ｌに当たる板状アーム部１３の上部３０の上部先端側上部３０ｂの上面ｄ’とのなす角度θ、すなわち、直線ｒと直線ｔのなす角度θを４度に設定しており、４≦θ≦１０度が好ましい。なお、この実施形態では、前記上面ｄ’は後端側上部３０ａを含む板状アーム部１３の上部３０の上面ｄである。また、図１（Ｃ）において、一点鎖線で示す直線ｒは、前記上面ｄ（ｄ’）からの延長線であり、点線で示す直線ｔは、前記下面ｂ（ｂ’）からの延長線である。ｑは、直線ｒと直線ｔの交点である。
【００１８】
而して、図４に示すように、湯水混合栓本体１の下面Ｍに貼付済みの座パッキン４０の下面の剥離紙を剥がし、湯水混合栓本体１に接続済みの管継手６，７とボルト４を貫通孔８に挿入しながら座パッキン４０が貫通孔８の中心からずれないようにして湯水混合栓本体１を取付部５の上面Ｈに位置させる。さらに、馬蹄型取付金具１０および取付部下面Ｌ間に取付パッキン５０を位置させる。この状態で、前記ボルト４を馬蹄型取付金具１０のボルト挿通穴１１に挿通させるとともに前記管継手６，７を馬蹄型取付金具１０の左右のアーム部１３，１３間に挿通させる。続いて、ナット９を締付ける。この際、ナット９の当たる板状基部１２のフラットな下面ｂ’（ｂ）を取付部下面Ｌに対し平行に位置させることにより、板状アーム部１３，１３の上部３０，３０の先端側上部３０ｂ，３０ｂの上面ｄ’を水栓取付部下面Ｌに当接させることができる。そして、この状態でナット９を締付けることにより、従来ナット９の締付力のかかりが弱かった湯水混合栓本体１の前側の締付力のかかり具合を強くなるようにすることができ、それによって、湯水混合栓本体１の前側が水栓取付部の上面から浮き上がるのを確実に防止することができる。また、上部側が開口した凹所２３を板状アーム部１３に設けたことにより、上部３０は強度補強用のリブとして機能し、凹所２３を設けない場合に比べて板状アーム部１３を強度的に強くできる。
【００１９】
なお、水栓を水栓取付部に取付けた状態において、ボルト挿通穴１１の周縁下面ｂ’は取付部下面Ｌに対し平行であり、かつ、この実施形態では板状アーム部１３の上部３０の先端側上部３０ｂを水栓取付部下面Ｌに面接触で当接させるように板状アーム部１３の上部３０をフラットな上面ｄに構成したが、線接触で当接させるように本発明の板状アーム部１３の上部３０を構成してもよい。また、板状アーム部１３の上部３０の構成として、水栓取付部下面Ｌに当接する箇所の形状が凹凸形状を備えたものであってもよい。
【００２０】
図５は、本発明に係る馬蹄型取付金具の他の実施形態を示す。図５において、図１〜図４に示した符号と同一のものは同一または相当物である。図１に示した馬蹄型取付金具１０では左右の板状アーム部１３，１３だけに凹所２３，２３を設けて左右の板状アーム部１３を強度的に強くしたが、この実施形態では、馬蹄型取付金具５１を板状基部１２、傾斜部２０，２１および左右の板状アーム部１３，１３で構成するとともに、板状基部１２の左右両端部（傾斜部２０，２１）から一側方への延設されている左右の板状アーム部１３，１３の延設長さを馬蹄型取付金具１０のものよりも短くしている。さらに、馬蹄型取付金具５１には、その上部側全体を開口してなる単一の平面視馬蹄型の凹所５３が形成されている。５４，５４は、左右の板状アーム部１３，１３の上部３０，３０にそれぞれ連なるよう形成された前後一対の外向きフランジである。すなわち、馬蹄型取付金具５１には、凹所５３の外周端に沿って、リブとして機能する前記上部３０，３０と前記外向きフランジ５４，５４が設けられており、これにより、凹所５３を設けない場合に比べて馬蹄型取付金具５１全体の強度アップが図れる。
【符号の説明】
【００２１】
５                  水栓取付部５
１０                平面視ほぼ馬蹄形状の水栓取付金具
１１                ボルト挿通穴
１２                板状基部
１３，１３          左右の板状アーム部
２０，２１          両端部
３０ｂ              板状アーム部の先端側上部
ｂ’                ボルト挿通穴の周縁下面
Ｌ                  水栓取付部の下面
【図１】
2014136921.tif 000003
【図２】
2014136921.tif 000004
【図３】
2014136921.tif 000005
【図４】
2014136921.tif 000006
【図５】
2014136921.tif 000007